(57)【要約】【課題】使用者が快適に装着できる展開型紙おむつを提供する。【解決手段】液不透過性のバックシート１２と、第１吸収体１４、第２吸収体１５、液透過性のトップシート１１をこの順に備える。第１吸収体１４は、装着したときに使用者の背側３６から股下３７を経て腹側３８にかけて備えられるとともに、第２吸収体１５は、装着したときに使用者の背側３６から股下３７にかけて備えられる。第１吸収体１４と第２吸収体１５との間に液体を透過しない防漏シート３２を備え、股下３７から背側３６に向かって第２吸収体１５が第１吸収体１４から離間することによってその第１吸収体１４と第２吸収体１５との間に排泄物を保持するポケットＰＯが形成される。そして、そのポケットＰＯにて防漏シート３２は第２吸収体１５に接するように配設され、トップシート１１は防漏シート３２を被うようにポケットＰＯの形状にならって設ける。【選択図】図２
2005279004.tif 000002
【特許請求の範囲】
【請求項１】
身体に装着して排泄物を吸収保持する展開型紙おむつにおいて、
バックシート、第１吸収体、第２吸収体、トップシートをこの順に備え、
前記第１吸収体は、装着したときに使用者の背側から股下を経て腹側にかけて備えられるとともに、前記第２吸収体は、装着したときに使用者の背側から股下にかけて備えられ、
前記第１吸収体と前記第２吸収体との間に液体を透過しない防漏シートを備え、
前記股下から前記背側に向かって前記第２吸収体が前記第１吸収体から離間することによって該第１吸収体と前記第２吸収体との間に排泄物を保持するポケットが形成され、
該ポケットにて前記防漏シートは前記第２吸収体に接するように配設され、
前記トップシートは前記防漏シートを被うように前記ポケットの形状にならって設けられることを特徴とする展開型紙おむつ。
【請求項２】
身体に装着して排泄物を吸収保持する展開型紙おむつにおいて、
バックシート、第１吸収体、第２吸収体、トップシートをこの順に備え、
前記第１吸収体は、装着したときに使用者の背側から股下を経て腹側にかけて備えられるとともに、前記第２吸収体は、装着したときに使用者の股下から腹側にかけて備えられ、
前記第１吸収体と前記第２吸収体との間に液体を透過しない防漏シートを備え、
前記股下から前記腹側に向かって前記第２吸収体が前記第１吸収体から離間することによって該第１吸収体と前記第２吸収体との間に排泄物を保持するポケットが形成され、
該ポケットにて前記防漏シートは前記第２吸収体に接するように配設され、
前記トップシートは前記防漏シートを被うように前記ポケットの形状にならって設けられることを特徴とする展開型紙おむつ。
【請求項３】
身体に装着して排泄物を吸収保持する展開型紙おむつにおいて、
バックシート、第１吸収体、第２吸収体、トップシートをこの順に備え、
前記第１吸収体は、装着したときに使用者の背側から股下を経て腹側にかけて備えられ、
前記第２吸収体は、装着したときに使用者の背側から股下にかけて備えられる背側第２吸収体と、装着したときに使用者の股下から腹側にかけて備えられる腹側第２吸収体とを有し、
前記第１吸収体と前記背側第２吸収体との間、および前記第１吸収体と前記腹側第２吸収体との間にそれぞれ液体を透過しない防漏シートを備え、
前記股下から前記背側に向かって前記背側第２吸収体が前記第１吸収体から離間するとともに、前記股下から前記腹側に向かって前記腹側第２吸収体が前記第１吸収体から離間することによって該第１吸収体と前記背側第２吸収体との間、および前記第１吸収体と前記腹側第２吸収体との間にそれぞれ排泄物を保持するポケットが形成され、
該ポケットにて前記防漏シートは前記背側第２吸収体または前記腹側第２吸収体に接するように配設され、
前記トップシートは前記防漏シートを被うように前記ポケットの形状にならって設けられることを特徴とする展開型紙おむつ。
【請求項４】
前記ポケットの開口上端に沿って前記第２吸収体の前記トップシート上に便収容ギャザーを備えることを特徴とする請求項１ないし３のいずれかに記載の展開型紙おむつ。
【請求項５】
身体に装着して排泄物を吸収保持する展開型紙おむつにおいて、
バックシート、第１吸収体、第２吸収体、第３吸収体、トップシートをこの順に備え、
前記第１吸収体は、装着したときに使用者の背側から股下を経て腹側にかけて備えられるとともに、前記第２吸収体および第３吸収体は、装着したときに使用者の背側から股下にかけて備えられ、
前記第２吸収体と前記第３吸収体との間に液体を透過しない防漏シートを備え、
前記股下から前記背側に向かって前記第２吸収体が前記第１吸収体から離間することによって該第１吸収体と前記第２吸収体との間に排泄物を保持するポケットが形成され、
前記トップシートは前記ポケットの形状にならって設けられることを特徴とする展開型紙おむつ。
【請求項６】
身体に装着して排泄物を吸収保持する展開型紙おむつにおいて、
バックシート、第１吸収体、第２吸収体、第３吸収体、トップシートをこの順に備え、
前記第１吸収体は、装着したときに使用者の背側から股下を経て腹側にかけて備えられるとともに、前記第２吸収体および第３吸収体は、装着したときに使用者の股下から腹側にかけて備えられ、
前記第２吸収体と前記第３吸収体との間に液体を透過しない防漏シートを備え、
前記股下から前記腹側に向かって前記第２吸収体が前記第１吸収体から離間することによって該第１吸収体と前記第２吸収体との間に排泄物を保持するポケットが形成され、
前記トップシートは前記ポケットの形状にならって設けられることを特徴とする展開型紙おむつ。
【請求項７】
身体に装着して排泄物を吸収保持する展開型紙おむつにおいて、
バックシート、第１吸収体、第２吸収体、第３吸収体、トップシートをこの順に備え、
前記第１吸収体は、装着したときに使用者の背側から股下を経て腹側にかけて備えられ、
前記第２吸収体は、装着したときに使用者の背側から股下にかけて備えられる背側第２吸収体と、装着したときに使用者の背側から股下にかけて備えられる腹側第２吸収体とを有し、
前記第３吸収体は、装着したときに使用者の背側から股下にかけて備えられる背側第３吸収体と、装着したときに使用者の背側から股下にかけて備えられる腹側第３吸収体とを有し、
前記背側第２吸収体と前記背側第３吸収体との間、および前記腹側第２吸収体と前記腹側第３吸収体との間に液体を透過しない防漏シートを備え、
前記股下から前記背側に向かって前記背側第２吸収体が前記第１吸収体から離間するとともに、前記股下から前記腹側に向かって前記腹側第２吸収体が前記第１吸収体から離間する
ことによって該第１吸収体と前記背側第２吸収体との間、および前記第１吸収体と前記腹側第２吸収体との間にそれぞれ排泄物を保持するポケットが形成され、
前記トップシートは前記ポケットの形状にならって設けられることを特徴とする展開型紙おむつ。
【請求項８】
前記ポケットの開口に沿って前記第２吸収体または第３吸収体の前記トップシート上に便収容ギャザーを備えることを特徴とする請求項５ないし７のいずれかに記載の展開型紙おむつ。
【請求項９】
前記第１吸収体に沿って脚回り立体ギャザーを備えることを特徴とする請求項１ないし８のいずれかに記載の展開型紙おむつ。
【請求項１０】
前記第１吸収体の幅方向両側よりも幅方向中央において目付量が少ないことを特徴とする請求項１ないし９のいずれかに記載の展開型紙おむつ。
【発明の詳細な説明】
【技術分野】
【０００１】
本発明は、身体に装着して排泄物を吸収保持する展開型紙おむつに関する。
【背景技術】
【０００２】
従来の展開型紙おむつにおいて、使用者の臀部が位置する部分に大便を保持する保持部を設けたものとして、吸収体に凹部を形成してその凹部の開口をトップシートで平面的に被覆するものや、凹部の形状に沿ってトップシートを設けたものがある。
また、吸収体の凹部の開口を平面的に被ったトップシートの開口と重なる部分に孔部を設け、その孔部から吸収体の凹部に大便を入れて保持するものもある（例えば特許文献１）。
しかしこのような展開型紙おむつでは、吸収体に形成された凹部の形状を確保して大便を保持できるようにしなけらばならず、凹部の内壁を固化したり、表面シートに代わる丈夫な液透過性シートで被覆したりしなければならないという問題があった。
そこで、図１４に示すように、バックシート１、第１吸収体（下層吸収体）２、第２吸収体（上層吸収体）３、トップシート４とをこの順に備え、第２吸収体３が臀部当接部位において前後方向を二分する前側部３ａと後側部３ｂとで構成されるとともに、前後方向において前側部３ａの後端と後側部３ｂの先端とが一定寸法離間し、トップシート４が前側部３ａの後端と後側部３ｂの先端とにおいて第１吸収体２に向かって折曲し、かつその折曲部分が第１吸収体２と第２吸収体３との間に折り込まれる大便を保持するポケット５が形成された展開型紙おむつが開示されている（例えば特許文献２）。
【特許文献１】実開平６−５６１４号公報
【特許文献２】特許第３１３０４３８号公報
【発明の開示】
【発明が解決しようとする課題】
【０００３】
しかし、展開型紙おむつを着用する使用者の中には寝たきりとなっていて腰部などに褥瘡がある場合がある。褥瘡は身体的、精神的苦痛を伴うものであり、この原因として考えられるのは、寝たきり状態であることによる血流阻害、新陳代謝の低下、自浄機能・免疫力の低下、体位交換時のズレによる物理的摩擦などがあるが、特に排泄物に含まれる水分が皮膚を汚染してかぶれさせることが症状を進行させる大きな原因となっている。
図６に示した構造の展開型紙おむつにおいても、上記原因を回避することは困難である。なぜなら、ポケット５に保持された排泄物は、第２吸収体３に浸透し、トップシート４を経て使用者の臀部や腰部の皮膚に接触し汚染してしまい、褥瘡を促進を防止することができないからである。
そこで、この発明の目的は、使用者が快適に装着できる展開型紙おむつを提供することにある。
【課題を解決するための手段】
【０００４】
このため、請求項１に記載の発明は、身体に装着して排泄物を吸収保持する展開型紙おむつにおいて、
バックシート、第１吸収体、第２吸収体、トップシートをこの順に備え、
前記第１吸収体は、装着したときに使用者の背側から股下を経て腹側にかけて備えられるとともに、前記第２吸収体は、装着したときに使用者の背側から股下にかけて備えられ、
前記第１吸収体と前記第２吸収体との間に液体を透過しない防漏シートを備え、
前記股下から前記背側に向かって前記第２吸収体が前記第１吸収体から離間することによって該第１吸収体と前記第２吸収体との間に排泄物を保持するポケットが形成され、
該ポケットにて前記防漏シートは前記第２吸収体に接するように配設され、
前記トップシートは前記防漏シートを被うように前記ポケットの形状にならって設けられることを特徴とする。
【０００５】
請求項２に記載の発明は、身体に装着して排泄物を吸収保持する展開型紙おむつにおいて、
バックシート、第１吸収体、第２吸収体、トップシートをこの順に備え、
前記第１吸収体は、装着したときに使用者の背側から股下を経て腹側にかけて備えられるとともに、前記第２吸収体は、装着したときに使用者の股下から腹側にかけて備えられ、
前記第１吸収体と前記第２吸収体との間に液体を透過しない防漏シートを備え、
前記股下から前記腹側に向かって前記第２吸収体が前記第１吸収体から離間することによって該第１吸収体と前記第２吸収体との間に排泄物を保持するポケットが形成され、
該ポケットにて前記防漏シートは前記第２吸収体に接するように配設され、
前記トップシートは前記防漏シートを被うように前記ポケットの形状にならって設けられることを特徴とする。
【０００６】
請求項３に記載の発明は、身体に装着して排泄物を吸収保持する展開型紙おむつにおいて、
バックシート、第１吸収体、第２吸収体、トップシートをこの順に備え、
前記第１吸収体は、装着したときに使用者の背側から股下を経て腹側にかけて備えられ、
前記第２吸収体は、装着したときに使用者の背側から股下にかけて備えられる背側第２吸収体と、装着したときに使用者の股下から腹側にかけて備えられる腹側第２吸収体とを有し、
前記第１吸収体と前記背側第２吸収体との間、および前記第１吸収体と前記腹側第２吸収体との間にそれぞれ液体を透過しない防漏シートを備え、
前記股下から前記背側に向かって前記背側第２吸収体が前記第１吸収体から離間するとともに、前記股下から前記腹側に向かって前記腹側第２吸収体が前記第１吸収体から離間することによって該第１吸収体と前記背側第２吸収体との間、および前記第１吸収体と前記腹側第２吸収体との間にそれぞれ排泄物を保持するポケットが形成され、
該ポケットにて前記防漏シートは前記背側第２吸収体または前記腹側第２吸収体に接するように配設され、
前記トップシートは前記防漏シートを被うように前記ポケットの形状にならって設けられることを特徴とする。
【０００７】
請求項４に記載の発明は、請求項１ないし３のいずれかに記載の展開型紙おむつにおいて、前記ポケットの開口上端に沿って前記第２吸収体の前記トップシート上に便収容ギャザーを備えることを特徴とする。
【０００８】
請求項５に記載の発明は、身体に装着して排泄物を吸収保持する展開型紙おむつにおいて、
バックシート、第１吸収体、第２吸収体、第３吸収体、トップシートをこの順に備え、
前記第１吸収体は、装着したときに使用者の背側から股下を経て腹側にかけて備えられるとともに、前記第２吸収体および第３吸収体は、装着したときに使用者の背側から股下にかけて備えられ、
前記第２吸収体と前記第３吸収体との間に液体を透過しない防漏シートを備え、
前記股下から前記背側に向かって前記第２吸収体が前記第１吸収体から離間することによって該第１吸収体と前記第２吸収体との間に排泄物を保持するポケットが形成され、
前記トップシートは前記ポケットの形状にならって設けられることを特徴とする。
【０００９】
請求項６に記載の発明は、身体に装着して排泄物を吸収保持する展開型紙おむつにおいて、
バックシート、第１吸収体、第２吸収体、第３吸収体、トップシートをこの順に備え、
前記第１吸収体は、装着したときに使用者の背側から股下を経て腹側にかけて備えられるとともに、前記第２吸収体および第３吸収体は、装着したときに使用者の股下から腹側にかけて備えられ、
前記第２吸収体と前記第３吸収体との間に液体を透過しない防漏シートを備え、
前記股下から前記腹側に向かって前記第２吸収体が前記第１吸収体から離間することによって該第１吸収体と前記第２吸収体との間に排泄物を保持するポケットが形成され、
前記トップシートは前記ポケットの形状にならって設けられることを特徴とする。
【００１０】
請求項７に記載の発明は、身体に装着して排泄物を吸収保持する展開型紙おむつにおいて、
バックシート、第１吸収体、第２吸収体、第３吸収体、トップシートをこの順に備え、
前記第１吸収体は、装着したときに使用者の背側から股下を経て腹側にかけて備えられ、
前記第２吸収体は、装着したときに使用者の背側から股下にかけて備えられる背側第２吸収体と、装着したときに使用者の背側から股下にかけて備えられる腹側第２吸収体とを有し、
前記第３吸収体は、装着したときに使用者の背側から股下にかけて備えられる背側第３吸収体と、装着したときに使用者の背側から股下にかけて備えられる腹側第３吸収体とを有し、
前記背側第２吸収体と前記背側第３吸収体との間、および前記腹側第２吸収体と前記腹側第３吸収体との間に液体を透過しない防漏シートを備え、
前記股下から前記背側に向かって前記背側第２吸収体が前記第１吸収体から離間するとともに、前記股下から前記腹側に向かって前記腹側第２吸収体が前記第１吸収体から離間する
ことによって該第１吸収体と前記背側第２吸収体との間、および前記第１吸収体と前記腹側第２吸収体との間にそれぞれ排泄物を保持するポケットが形成され、
前記トップシートは前記ポケットの形状にならって設けられることを特徴とする。
【００１１】
請求項８に記載の発明は、請求項５ないし７のいずれかに記載の展開型紙おむつにおいて、前記ポケットの開口に沿って前記第２吸収体または第３吸収体の前記トップシート上に便収容ギャザーを備えることを特徴とする。
【００１２】
請求項９に記載の発明は、請求項１ないし８のいずれかに記載の展開型紙おむつにおいて、前記第１吸収体に沿って脚回り立体ギャザーを備えることを特徴とする。
【００１３】
請求項１０に記載の発明は、請求項１ないし９のいずれかに記載の展開型紙おむつにおいて、前記第１吸収体の幅方向両側よりも幅方向中央において目付量が少ないことを特徴とする。
【発明の効果】
【００１４】
請求項１の発明によれば、バックシート、第１吸収体、第２吸収体、トップシートをこの順に備え、第１吸収体は、装着したときに使用者の背側から股下を経て腹側にかけて備えられるとともに、第２吸収体は、装着したときに使用者の背側から股下にかけて備えられ、第１吸収体と第２吸収体との間に液体を透過しない防漏シートを備え、股下から背側に向かって第２吸収体が第１吸収体から離間することによってその第１吸収体と第２吸収体との間に排泄物を保持するポケットが形成され、そのポケットにて防漏シートは第２吸収体に接するように配設され、トップシートは防漏シートを被うようにポケットの形状にならって設けられるので、排泄物は第１吸収体と第２吸収体との間のポケットに保持されて紙おむつの使用面であるトップシート全体に広がることがなく清潔である。また、展開型紙おむつ交換時に、介護者が使用者の排泄物を拭き取る面積が減り介護者の作業が低減される。加えて、ポケットに保持された排泄物の水分は、第１吸収体に吸収保持されるので、排泄物の水分がポケットの開口から逆流して漏れ出すことがない。
さらに、第１吸収体と第２吸収体との間に第２吸収体に接するように防漏シートを備えるので、ポケットに保持された排泄物の水分が第２吸収体に吸収されてトップシートから使用面側に染み出すことがなく、使用者が褥瘡などを有するときにもその患部を汚染することがなく清潔である。加えて、染み出した排泄物によって患部を悪化させることがない。したがって、使用者が快適に装着できる展開型紙おむつを提供することができる。
【００１５】
請求項２の発明によれば、バックシート、第１吸収体、第２吸収体、トップシートをこの順に備え、第１吸収体は、装着したときに使用者の背側から股下を経て腹側にかけて備えられるとともに、第２吸収体は、装着したときに使用者の股下から腹側にかけて備えられ、第１吸収体と第２吸収体との間に液体を透過しない防漏シートを備え、股下から腹側に向かって第２吸収体が第１吸収体から離間することによってその第１吸収体と第２吸収体との間に排泄物を保持するポケットが形成され、そのポケットにて防漏シートは第２吸収体に接するように配設され、トップシートは防漏シートを被うようにポケットの形状にならって設けられるので、排泄物は第１吸収体と第２吸収体との間のポケットに保持されて紙おむつの使用面であるトップシート全体に広がることがなく清潔である。また、展開型紙おむつ交換時に、介護者が使用者の排泄物を拭き取る面積が減り介護者の作業が低減される。加えて、ポケットに保持された排泄物の水分は、第１吸収体に吸収保持されるので、排泄物の水分がポケットの開口から逆流して漏れ出すことがない。
さらに、第１吸収体と第２吸収体との間に第２吸収体に接するように防漏シートを備えるので、ポケットに保持された排泄物の水分が第２吸収体に吸収されてトップシートから使用面側に染み出すことがなく、使用者が褥瘡などを有するときにもその患部を汚染することがなく清潔である。加えて、染み出した排泄物によって患部を悪化させることがない。したがって、使用者が快適に装着できる展開型紙おむつを提供することができる。
【００１６】
請求項３の発明によれば、バックシート、第１吸収体、第２吸収体、トップシートをこの順に備え、
前記第１吸収体は、装着したときに使用者の背側から股下を経て腹側にかけて備えられ、
前記第２吸収体は、装着したときに使用者の背側から股下にかけて備えられる背側第２吸収体と、装着したときに使用者の股下から腹側にかけて備えられる腹側第２吸収体とを有し、第１吸収体と背側第２吸収体との間、および第１吸収体と腹側第２吸収体との間にそれぞれ液体を透過しない防漏シートを備え、股下から背側に向かって背側第２吸収体が第１吸収体から離間するとともに、股下から腹側に向かって腹側第２吸収体が第１吸収体から離間することによってその第１吸収体と背側第２吸収体との間、および第１吸収体と腹側第２吸収体との間にそれぞれ排泄物を保持するポケットが形成され、そのポケットにて防漏シートは背側第２吸収体または腹側第２吸収体に接するように配設され、トップシートは防漏シートを被うようにポケットの形状にならって設けられるので、排泄物は第１吸収体と背側第２吸収体との間に形成されるポケット、および第１吸収体と腹側第２吸収体との間に形成されるポケットにそれぞれ保持されて紙おむつの使用面であるトップシート全体に広がることがなく清潔である。また、展開型紙おむつ交換時に、介護者が使用者の排泄物を拭き取る面積が減り介護者の作業が低減される。加えて、ポケットに保持された排泄物の水分は、第１吸収体に吸収保持されるので、排泄物の水分がポケットの開口から逆流して漏れ出すことがない。
さらに、第１吸収体と背側第２吸収体との間に背側第２吸収体に接するように防漏シートを備え、および第１吸収体と腹側第２吸収体との間に腹側第２吸収体に接するように防漏シートを備えるので、ポケットに保持された排泄物の水分が背側第２吸収体または腹側第２吸収体に吸収されてトップシートから使用面側に染み出すことがなく、使用者が褥瘡などを有するときにもその患部を汚染することがなく清潔である。加えて、染み出した排泄物によって患部を悪化させることがない。したがって、使用者が快適に装着できる展開型紙おむつを提供することができる。
【００１７】
請求項４の発明によれば、ポケットの開口上端に沿って第２吸収体上のトップシート上に便収容ギャザーを備えるので、便収容ギャザーに備える弾性部材によって第２吸収体を湾曲させてポケットの開口を容易に形成することができ、ポケットを有効に活用することができる。したがって、ポケットに排泄物を容易に保持することができ、使用者の皮膚を排泄物で汚染することがなく清潔である。よって、使用者が快適に装着できる展開型紙おむつを提供することができる。
【００１８】
請求項５の発明によれば、バックシート、第１吸収体、第２吸収体、第３吸収体、トップシートをこの順に備え、第１吸収体は、装着したときに使用者の背側から股下を経て腹側にかけて備えられるとともに、第２吸収体および第３吸収体は、装着したときに使用者の背側から股下にかけて備えられ、第２吸収体と第３吸収体との間に液体を透過しない防漏シートを備え、股下から背側に向かって第２吸収体が第１吸収体から離間することによってその第１吸収体と第２吸収体との間に排泄物を保持するポケットが形成され、トップシートはポケットの形状にならって設けられるので、排泄物は第１吸収体と第２吸収体との間のポケットに保持されて紙おむつの使用面であるトップシート全体に広がることがなく清潔である。また、展開型紙おむつ交換時に、介護者が使用者の排泄物を拭き取る面積が減り介護者の作業が低減される。加えて、ポケットに保持された排泄物の水分は、第１吸収体に加えて第２吸収体にも吸収保持されるので、いっそう排泄物の水分がポケットの開口から逆流して漏れ出すことがない。
さらに、第２吸収体と第３吸収体との間に防漏シートを備えるので、ポケットに保持された排泄物の水分が第３吸収体に吸収されてトップシートから使用面側に染み出すことがなく、使用者が褥瘡などを有するときにもその患部を汚染することがなく清潔である。加えて、染み出した排泄物によって患部を悪化させることがない。したがって、使用者がいっそう快適に装着できる展開型紙おむつを提供することができる。
【００１９】
請求項６の発明によれば、バックシート、第１吸収体、第２吸収体、第３吸収体、トップシートをこの順に備え、第１吸収体は、装着したときに使用者の背側から股下を経て腹側にかけて備えられるとともに、第２吸収体および第３吸収体は、装着したときに使用者の股下から腹側にかけて備えられ、第２吸収体と第３吸収体との間に液体を透過しない防漏シートを備え、股下から腹側に向かって第２吸収体が第１吸収体から離間することによってその第１吸収体と第２吸収体との間に排泄物を保持するポケットが形成され、トップシートはポケットの形状にならって設けられるので、排泄物は第１吸収体と第２吸収体との間のポケットに保持されて紙おむつの使用面であるトップシート全体に広がることがなく清潔である。また、展開型紙おむつ交換時に、介護者が使用者の排泄物を拭き取る面積が減り介護者の作業が低減される。加えて、ポケットに保持された排泄物の水分は、第１吸収体に加えて第２吸収体にも吸収保持されるので、いっそう排泄物の水分がポケットの開口から逆流して漏れ出すことがない。
さらに、第２吸収体と第３吸収体との間に防漏シートを備えるので、ポケットに保持された排泄物の水分が第３吸収体に吸収されてトップシートから使用面側に染み出すことがなく、使用者が褥瘡などを有するときにもその患部を汚染することがなく清潔である。加えて、染み出した排泄物によって患部を悪化させることがない。したがって、使用者がいっそう快適に装着できる展開型紙おむつを提供することができる。
【００２０】
請求項７の発明によれば、バックシート、第１吸収体、第２吸収体、第３吸収体、トップシートをこの順に備え、第１吸収体は、装着したときに使用者の背側から股下を経て腹側にかけて備えられ、第２吸収体は、装着したときに使用者の背側から股下にかけて備えられる背側第２吸収体と、装着したときに使用者の背側から股下にかけて備えられる腹側第２吸収体とを有し、第３吸収体は、装着したときに使用者の背側から股下にかけて備えられる背側第３吸収体と、装着したときに使用者の背側から股下にかけて備えられる腹側第３吸収体とを有し、背側第２吸収体と背側第３吸収体との間、および腹側第２吸収体と腹側第３吸収体との間に液体を透過しない防漏シートを備え、股下から背側に向かって背側第２吸収体が第１吸収体から離間するとともに、股下から腹側に向かって腹側第２吸収体が第１吸収体から離間することによってその第１吸収体と背側第２吸収体との間、および第１吸収体と腹側第２吸収体との間にそれぞれ排泄物を保持するポケットが形成され、トップシートはポケットの形状にならって設けられるので、排泄物は第１吸収体と背側第２吸収体との間に形成されるポケットまたは第１吸収体と腹側第２吸収体との間に形成されるポケットに保持されて紙おむつの使用面であるトップシート全体に広がることがなく清潔である。また、展開型紙おむつ交換時に、介護者が使用者の排泄物を拭き取る面積が減り介護者の作業が低減される。加えて、ポケットに保持された排泄物の水分は、第１吸収体に加えて第２吸収体にも吸収保持されるので、いっそう排泄物の水分がポケットの開口から逆流して漏れ出すことがない。
さらに、背側第２吸収体と背側第３吸収体との間、および腹側第２吸収体と腹側第３吸収体に防漏シートを備えるので、ポケットに保持された排泄物の水分が背側第３吸収体または腹側第３吸収体に吸収されてトップシートから使用面側に染み出すことがなく、使用者が褥瘡などを有するときにもその患部を汚染することがなく清潔である。加えて、染み出した排泄物によって患部を悪化させることがない。したがって、使用者がいっそう快適に装着できる展開型紙おむつを提供することができる。
【００２１】
請求項８の発明によれば、ポケットの開口に沿って第２吸収体または第３吸収体上のトップシート上に便収容ギャザーを備えるので、便収容ギャザーに備える弾性部材によって第２吸収体または別の第２吸収体を湾曲させてポケットの開口を容易に形成することができ、ポケットを有効に活用することができる。したがって、ポケットに排泄物を容易に保持することができ、使用者の皮膚を排泄物で汚染することがなく清潔である。よって、使用者が快適に装着できる展開型紙おむつを提供することができる。
【００２２】
請求項９の発明によれば、第１吸収体に沿って脚回り立体ギャザーを備えるので、脚回りからの横モレを防止し、使用者が快適に装着できる展開型紙おむつを提供することができる。
【００２３】
請求項１０の発明によれば、第１吸収体の幅方向両側よりも幅方向中央において目付量が少ないので、例えば第１吸収体がパルプで構成されている場合、第１吸収体の幅方向中央に窪みを容易につくることができ、排泄物を中央に誘導し、ポケットへと誘導しやすくなり、使用面を清潔に保つことができる。
【発明を実施するための最良の形態】
【００２４】
（第１の実施の形態）
以下、図面を参照しつつ、この発明の第１の実施の形態につき説明する。
図１は、この発明の展開型紙おむつの展開図である。展開型紙おむつは、矩形の長辺のほぼ中央部分にそれぞれ切り欠き４０を設けたバックシート１２と、そのバックシート１２の幅方向ａ中央に長手方向ｂに沿って第１吸収体（下層吸収体）１４を備え、その第１吸収体１４の上に第２吸収体（上層吸収体）１５、メッシュ状の孔を複数有する不織布やフィルムなど液透過性のトップシート１１をこの順に備える。
図２，３に示すように、第１吸収体１４は、装着したときに使用者の背側３６から股下３７を経て腹側３８にかけて備えられるとともに、第２吸収体１５は、装着したときに使用者の背側３６から股下３７にかけて備えられる。第１吸収体１４と第２吸収体１５との間に液体を透過しない防漏シート３２を備え、股下３７から背側３６に向かって第２吸収体１５の中央部が第１吸収体１４から離間することによってその第１吸収体１４と第２吸収体１５との間に排泄物を保持するポケットＰＯが形成される。そして、そのポケットＰＯにて防漏シート３２は第２吸収体１５に接するように配設され、トップシート１１は防漏シート３２を被うようにポケットＰＯの形状にならって設けられる。
このとき、第２吸収体１５は開口Ｏ以外の周縁部をホットメルト接着剤などによって第１吸収体１４と接着されている。
なお、トップシート１１は展開型紙おむつを使用者に装着する際の使用面となるものである。
また、第１吸収体１４と第２吸収体１５は、綿状パルプに高分子吸収体ポリマーを散在させてなる。ここで、第１吸収体１４、第２吸収体１５は、それぞれ表面を吸収用のティシュペーパーで覆われている。
【００２５】
背側３６の幅方向ａ両側には、一対のサイドフラップ２２Ａ，２２Ｂを備え、その一対のサイドフラップ２２Ａ，２２Ｂの幅方向ａ外側には止着部２４を備えたサイドパネル２３Ａ，２３Ｂをそれぞれ設ける。
この止着部２４は、パネル基材２５の自由端部に一体に形成され、先端をツマミ部とし、その止着部２４の固定端側にはオス材のメカニカルファスナーなどからなる係合部を設ける。この係合部は裏面をパネル基材２５表面に接着して固定する。
また、腹側３８の幅方向ａ両側には、一対のサイドフラップ２１Ａ，２１Ｂを備える。
【００２６】
さらに、ポケットＰＯの開口上端３３に沿って、先端が開口上端３３より腹側３８に延出するように第２吸収体１５上のトップシート１１上に便収容ギャザー３１を貼着して備える。
この便収容ギャザー３１は、不織布などで形成されたギャザーシート２９を長手方向ｂに折り返してその内側に幅方向ａに沿って弾性部材２７を３本備える。
なお、便収容ギャザー３１は、ポケットＰＯの開口上端３３に沿って、先端が開口上端３３と揃うように備えてもよいし、ポケットＰＯの開口上端３３に沿って、先端が開口上端３３より背側３６に位置するように備えてもよい。
加えて、第１吸収体１４の外縁に長手方向ｂに沿って脚回り立体ギャザー３０を備える。
この脚回り立体ギャザー３０は、不織布などで形成されたギャザーシート２６の一端を幅方向ａに折り返してその内側に長手方向ｂに沿って弾性部材２７を３本備える。
なお、この図では、脚回り立体ギャザー３０、便収容ギャザー３１に弾性部材２７をそれぞれ３本ずつ備えるがこれに限定されるものではない。また脚回り立体ギャザー３０は、展開型紙おむつが使用者に適切に装着された時に使用者の脚回りにフィットして横モレを防ぐためのものである。
ギャザーシート２６の他端はバックシート１２に形成されたサイドフラップ２１Ａ，２１Ｂ，２２Ａ，２２Ｂの形状に合わせて裁断され、バックシート１２と貼り合わされる。
【００２７】
なお、第１吸収体１４がパルプからなり、幅方向ａ両側よりも幅方向ａ中央においてパルプの目付量を少なくしてもよい。
このようにすると、第１吸収体１４の幅方向ａ中央が両側に比べてくぼみ、排泄物が中央に集まり、これをポケットＰＯへと容易に誘導することができ、使用面を清潔に保つことができる。
【００２８】
このように構成された展開型紙おむつを使用するときは、仰向けになっている使用者の臀部を背側３６の使用面であるトップシート１１上に載せる。
そして、股下３７を使用者の股間部にあてがい、腹側３８を使用者の腹部に載せるように展開型紙おむつを折り曲げて、背側部３６にある止着部２４のオス材のメカニカルファスナーを腹側部３８のバックシート１２に係合させて止着し、展開型紙おむつを使用者に装着する。すると、第２吸収体１５が便収容ギャザー３１によって使用者の体型に追従して起立しポケットＰＯが形成される。
このとき、便収容ギャザー３１を使用者の仙骨部付近に密着するように装着するとポケットＰＯの開口Ｏが使用者の排泄物を的確に捕らえてポケットＰＯに容易に保持することができる。また、第１吸収体１４の幅方向ａ両側よりも幅方向ａ中央においてパルプの目付量を少なくすると、第１吸収体１４の幅方向ａ中央が両側に比べてくぼみ、排泄物が中央に集まり、これをポケットＰＯへと容易に誘導することができる。
【００２９】
なお、上述の実施の形態では、トップシート１１は防漏シート３２を被うようにポケットＰＯの形状にならって第１吸収体１４、第２吸収体１５の表面に設けられているが、この発明はこれに限定されるものではなく、図４に示すように、第１吸収体１４、第２吸収体１５をそれぞれ別々にトップシート１１ａ，１１ｂで被うようにしてもよい。すなわち、バックシート１２上に第１吸収体１４を備え、その第１吸収体１４上をトップシート１１ａで覆う。その上に別のトップシート１１ｂで包まれた第２吸収体１５を載置する。なお、第２吸収体１５の第１吸収体１４側には防漏シート３２を備え、この表面からトップシート１１ｂで被うものとする。そして、第２吸収体１５の第１吸収体１４と反対側のトップシート１１ｂ上の開口上端３３に便収容ギャザー３１を設ける。
このように展開型紙おむつを形成すると、トップシート１１をポケットＰＯの形状にならって設ける必要がなく、第１吸収体１４、第２吸収体１５をそれぞれトップシート１１ａ，１１ｂで被うことにより、製造工程を単純化することができる。
【００３０】
（第２の実施の形態）
次にこの発明の第２の実施の形態について図５を用いて説明する。この実施の形態では、第１の実施の形態と比べて、第２吸収体１５を備える位置と、この第２吸収体１５と第１吸収体とによって形成されるポケットの向きが異なる。それ以外の構成は、第１の実施の形態と同様であるので説明を簡略化する。
この実施の形態の展開型紙おむつは、バックシート１２、第１吸収体１４、第２吸収体１５、トップシート１１をこの順に備え、第１吸収体１４は、装着したときに使用者の背側３６から股下３７を経て腹側３８にかけて備えられるとともに、第２吸収体１５は、装着したときに使用者の股下３７から腹側３８にかけて備えられ、第１吸収体１４と第２吸収体１５との間に液体を透過しない防漏シート３２を備え、股下３７から腹側３８に向かって第２吸収体１５が第１吸収体１４から離間することによってその第１吸収体１４と第２吸収体１５との間に排泄物を保持するポケットＰＯが形成され、そのポケットＰＯにて防漏シート３２は第２吸収体１５に接するように配設され、トップシート１１は防漏シート３２を被うようにポケットＰＯの形状にならって設けられる。
【００３１】
さらに、ポケットＰＯの開口上端３３に沿って第２吸収体１５上のトップシート１１上に便収容ギャザー３１を貼着して備える。
この便収容ギャザー３１は、不織布などで形成されたギャザーシート２９を長手方向ｂに折り返してその内側に幅方向ａに沿って弾性部材２７を３本備える。
なお、この図では、便収容ギャザー３１に弾性部材２７をそれぞれ３本ずつ備えるがこれに限定されるものではない。
【００３２】
（第３の実施の形態）
次にこの発明の第３の実施の形態について図６，７を用いて説明する。この実施の形態では、第１および第２の実施の形態と比べて、第２吸収体を背側第２吸収体、腹側第２吸収体として２つ備え、ポケットＰＯの形状が異なる。それ以外の構成は、第１および第２の実施の形態と同様であるので説明を簡略化する。
この実施の形態の展開型紙おむつは、バックシート１２、第１吸収体１４、背側第２吸収体（第２吸収体）１５ａおよび腹側第２吸収体（第２吸収体）１５ｂ、トップシート１１をこの順に備え、第１吸収体１４は、装着したときに使用者の背側３６から股下３７を経て腹側３８にかけて備えられ、背側第２吸収体１５ａは、装着したときに使用者の背側３６から股下３７にかけて備えられ、腹側第２吸収体１５ｂは、装着したときに使用者の股下３７から腹側３８にかけて備えられ、第１吸収体１４と背側第２吸収体１５ａとの間、および第１吸収体１４と腹側第２吸収体１５ｂとの間にそれぞれ液体を透過しない防漏シート３２ａ，３２ｂを備え、股下３７から背側３６に向かって背側第２吸収体１５ａが第１吸収体１４から離間するとともに、股下３７から腹側３８に向かって腹側第２吸収体１５ｂが第１吸収体１４から離間することによってその第１吸収体１４と背側第２吸収体１５ａとの間、および第１吸収体１４と腹側第２吸収体１５ｂとの間にそれぞれ排泄物を保持するポケットＰＯが形成され、そのポケットＰＯにて防漏シート３２ａは背側第２吸収体１５ａに、防漏シート３２ｂは腹側第２吸収体１５ｂにそれぞれ接するように配設され、トップシート１１は防漏シート３２ａ，３２ｂを被うようにポケットＰＯの形状にならって設けられる。
【００３３】
さらに、ポケットＰＯの開口上端３３に沿って背側第２吸収体１５ａ、腹側第２吸収体１５ｂ上のトップシート１１上に便収容ギャザー３１をそれぞれ貼着して備える。
この便収容ギャザー３１は、不織布などで形成されたギャザーシート２９を長手方向ｂに折り返してその内側に幅方向ａに沿って弾性部材２７を３本備える。
なお、この図では、便収容ギャザー３１に弾性部材２７をそれぞれ３本ずつ備えるがこれに限定されるものではない。
【００３４】
（第４の実施の形態）
次にこの発明の第４の実施の形態について図８，９，１０を用いて説明する。この実施の形態では、第１の実施の形態と比べて、第２吸収体１５に防漏シート３２を介して第３吸収体１６を備える点が異なる。それ以外の構成は、第１の実施の形態と同様であるので説明を簡略化する。
この実施の形態の展開型紙おむつは、バックシート１２、第１吸収体（下層吸収体）１４、第２吸収体（中層吸収体）１５、第３吸収体（上層吸収体）１６、トップシート１１をこの順に備え、第１吸収体１４は、装着したときに使用者の背側３６から股下３７を経て腹側３８にかけて備えられるとともに、第２吸収体１５および第３吸収体１６は、装着したときに使用者の背側３６から股下３７にかけて備えられる。そして、第２吸収体１５と第３吸収体１６との間に液体を透過しない防漏シート３２を備え、股下３７から背側３６に向かって第２吸収体１５が第１吸収体１４から離間することによってその第１吸収体１４と第２吸収体１５との間に排泄物を保持するポケットＰＯが形成される。なお、トップシート１１はポケットＰＯの形状にならって設けられる。このとき、第２吸収体１５は開口Ｏ以外の周縁部をホットメルト接着剤などによって第１吸収体１４と接着されている。
そして、ポケットＰＯの開口Ｏに沿って第３吸収体１６のトップシート１１上に便収容ギャザー３１を備え、第１吸収体１４に沿って脚回り立体ギャザー３０を備える。
なお、この図では、足回り立体ギャザー３０、便収容ギャザー３１に弾性部材２７をそれぞれ３本ずつ備えるがこれに限定されるものではない。
【００３５】
このように構成された展開型紙おむつを使用するときは、仰向けになっている使用者の臀部を背側３６の使用面であるトップシート１１上に載せる。
そして、股下３７を使用者の股間部にあてがい、腹側３８を使用者の腹部に載せるように展開型紙おむつを折り曲げて、背側部３６にある止着部２４のオス材のメカニカルファスナーを腹側部３８のバックシート１２に係合させて止着し、展開型紙おむつを使用者に装着する。すると、第２吸収体１５及び第３吸収体１６が便収容ギャザー３１によって使用者の体型に追従して起立し、ポケットＰＯが形成される。
このとき、便収容ギャザー３１を使用者の仙骨部付近に密着するように装着するとポケットＰＯの開口Ｏが使用者の排泄物を的確に捕らえてポケットＰＯに容易に保持することができる。また、第１吸収体１４の幅方向ａ両側よりも幅方向ａ中央においてパルプの目付量を少なくすると、第１吸収体１４の幅方向ａ中央が両側に比べてくぼみ、排泄物が中央に集まり、これをポケットＰＯへと容易に誘導することができる。
【００３６】
なお、この実施の形態では、トップシート１１は防漏シート３２を被うようにポケットＰＯの形状にならって第１吸収体１４、第２吸収体１５、第３吸収体１６の表面に設けられているが、この発明はこれに限定されるものではなく、図１１に示すように、第１吸収体１４と、第２吸収体１５及び第３吸収体１６をそれぞれ別々にトップシート１１ａ，１１ｂで被うようにしてもよい。
すなわち、バックシート１２上に第１吸収体１４を備え、その第１吸収体１４上をトップシート１１ａで覆う。その上に別のトップシート１１ｂで包まれた第２吸収体１５及び第３吸収体１６を載置する。なお、第２吸収体１５と第３吸収体１６との間には防漏シート３２を備える。そして、第３吸収体１６を被うトップシート１１ｂ上の開口上端３３に便収容ギャザー３１を設ける。
このように展開型紙おむつを形成すると、トップシート１１をポケットＰＯの形状にならって設ける必要がなく、第１吸収体１４、第２吸収体１５及び第３吸収体１６をそれぞれトップシート１１ａ，１１ｂで被うことにより、製造工程を単純化することができる。
【００３７】
また、第１吸収体１４がパルプからなり、幅方向ａ両側よりも幅方向ａ中央においてパルプの目付量を少なくしてもよい。このようにすると、第１吸収体１４の幅方向ａ中央が両側に比べてくぼみ、排泄物が中央に集まり、これをポケットＰＯへと容易に誘導することができ、使用面を清潔に保つことができる。
【００３８】
（第５の実施の形態）
次にこの発明の第５の実施の形態について図１２を用いて説明する。この実施の形態では、第４の実施の形態と比べて、第２吸収体１５を備える位置と、この第２吸収体１５と第１吸収体１４とによって形成されるポケットＰＯの向きが異なる。それ以外の構成は、第４の実施の形態と同様であるので説明を簡略化する。
この実施の形態の展開型紙おむつは、バックシート１２、第１吸収体（下層吸収体）１４、第２吸収体（中層吸収体）１５、第３吸収体（上層吸収体）１６、トップシート１１をこの順に備え、第１吸収体１４は、装着したときに使用者の背側３６から股下３７を経て腹側３８にかけて備えられるとともに、第２吸収体１５および第３吸収体１６は、装着したときに使用者の股下３７から腹側３８にかけて備えられる。そして、第２吸収体１５と第３吸収体１６との間に液体を透過しない防漏シート３２を備え、股下３７から腹側３８に向かって第２吸収体１５が第１吸収体１４から離間することによってその第１吸収体１４と第２吸収体１５との間に排泄物を保持するポケットＰＯが形成される。なお、トップシート１１はポケットＰＯの形状にならって設けられる。
【００３９】
さらに、ポケットＰＯの開口上端３３に沿って第３吸収体１６のトップシート１１上に便収容ギャザー３１を貼着して備える。
この便収容ギャザー３１は、不織布などで形成されたギャザーシート２９を長手方向ｂに折り返してその内側に幅方向ａに沿って弾性部材２７を３本備える。
なお、この図では、便収容ギャザー３１に弾性部材２７をそれぞれ３本ずつ備えるがこれに限定されるものではない。
【００４０】
（第６の実施の形態）
次にこの発明の第６の実施の形態について図１３を用いて説明する。この実施の形態では、第４および第５の実施の形態と比べて、第２吸収体を背側第２吸収体及び腹側第２吸収体として、また、第３吸収体を背側第３吸収体及び腹側第３吸収体としてそれぞれ２つずつ備えるとともに、ポケットＰＯの形状が異なる。それ以外の構成は、第４および第５の実施の形態と同様であるので説明を簡略化する。
この実施の形態の展開型紙おむつは、バックシート１２、第１吸収体（下層吸収体）１４、第２吸収体である背側第２吸収体（中層吸収体）１５ａならびにその背側第２吸収体１５ａと同一形状の第３吸収体である背側第３吸収体（上層吸収体）１６ａ、および第２吸収体である腹側第２吸収体（中層吸収体）１５ｂならびにその腹側第２吸収体１５ｂと同一形状の第３吸収体である腹側第３吸収体（上層吸収体）１６ｂ、トップシート１１をこの順に備える。
【００４１】
第１吸収体１４は、装着したときに使用者の背側３６から股下３７を経て腹側３８にかけて備えられ、背側第２吸収体１５ａならびに背側第３吸収体１６ａは、装着したときに使用者の背側３６から股下３７にかけて備えられ、腹側第２吸収体１５ｂならびに腹側第３吸収体１６ｂは、装着したときに使用者の股下３７から腹側３８にかけて備えられ、背側第２吸収体１５ａと背側第３吸収体１６ａとの間、および腹側第２吸収体１５ｂと腹側第３吸収体１６ｂとの間にそれぞれ液体を透過しない防漏シート３２ａ，３２ｂを備える。
そして、股下３７から背側３６に向かって背側第２吸収体１５ａが第１吸収体１４から離間するとともに、股下３７から腹側３８に向かって腹側第２吸収体１５ｂが第１吸収体１４から離間することによってその第１吸収体１４と背側第２吸収体１５ａとの間、および第１吸収体１４と腹側第２吸収体１５ｂとの間にそれぞれ排泄物を保持するポケットＰＯが形成され、トップシート１１はポケットＰＯの形状にならって設けられる。
【００４２】
さらに、ポケットＰＯの開口上端３３に沿って背側第２吸収体１５ａ、腹側第２吸収体１５ｂ上のトップシート１１上に便収容ギャザー３１をそれぞれ貼着して備える。
この便収容ギャザー３１は、不織布などで形成されたギャザーシート２９を長手方向ｂに折り返してその内側に幅方向ａに沿って弾性部材２７を３本備える。
なお、この図では、便収容ギャザー３１に弾性部材２７をそれぞれ３本ずつ備えるがこれに限定されるものではない。
【００４３】
本発明において使用されるトップシート１１は、液透過性の不織布、織布、多孔性プラスチックフィルム等であり、その構成繊維は、ポリプロピレン、ポリエチレン、ポリエステル、ナイロン等の単繊維、またはポリエステル、ポリプロピレン、ポリエチレン、ナイロン等の２成分以上からなる複合繊維等であり、特には、ポリエステル／ポリエステル、ポリエステル／ポリエチレン、ポリプロピレン／ポリエチレンの複合繊維が強度の面から好ましいが、特に制限をうけるものではない。また、液透過性の不織布を用いて構成してもよい。
【００４４】
本発明において使用されるバックシート１２およびパネル基材２５は、たとえば、ＰＥ（ポリエチレン）等の液不透過性フィルム、液体不透過性フィルムと不織布または織布を貼り合わせた素材等である。液不透過性フィルムを使用した場合、ムレを防止するために、液体を透過させない程度の多数の微孔を設けたポリエチレン製フィルムや、熱可塑性樹脂にフィラーを加えて延伸した透湿性のあるフィルム、あるいはこれらのフィルムの外側に不織布、織布を貼り合わせた複合シートを用いると、吸収パッド内の余分な水分が気体の状態で吸収パッド外に放出されるため、ムレやカブレが起こりにくくなり、透湿性や肌触り等を快適なものとすることができる。なお、バックシート１２は不織布などの液透過性の素材で構成してもよい。
【００４５】
本発明において使用される第１吸収体１４、第２吸収体１５，１５ａ，１５ｂ、第３吸収体１６，１６ａ，１６ｂは、綿状パルプ、高吸収性ポリマー（以下、「ＳＡＰ」という。）、親水性シート等からなり、特に制限を受けるものではない。また、本発明において使用される吸収体は、従来の展開型紙おむつやその他の吸収性物品において通常使用される公知の吸収性材料から作られている。
【００４６】
すなわち、綿状パルプ、レーヨン等の吸収性繊維とＳＡＰを混合した単層もしくは多層のマット、あるいは、吸収性繊維からなるマットの層間にＳＡＰを均一に配置したもの等を親水性シートでくるんで形成したものを使用することができる。
【００４７】
綿状パルプとしては、化学パルプシートもしくは、機械パルプシートを粉砕機で解繊することにより得られるものが用いられる。パルプ原料としては、針葉樹に限らず、広葉樹、わら、竹およびケナフも適用される。また、古紙パルプを使用しても良い。この綿状パルプの使用量は、目的とする吸収体により、例えば、単独で用いるか、複数積層して用いるか、他の吸収材を併用するかなどにより異なるが、一般的には、５０〜６００ｇ／ｍ2にされる。
【００４８】
ＳＡＰとしては、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリロニトリルグラフト共重合体のケン化物、デンプン−アクリルアミドグラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物などが使用可能である。
【００４９】
第１吸収体１４、第２吸収体１５，１５ａ，１５ｂ、第３吸収体１６，１６ａ，１６ｂの圧縮方法としては、周面が平滑なロールなどにより、吸収体の密度がその全体にわたり実質的に均等になるように連続する面状に圧縮してもよいし、周面が凹凸状であるロールなどにより、吸収体の密度が部分的に異なり、尿や体液を縦方向及び斜め方向に導く模様配列のエンボスとなるように圧縮してもよい。エンボスの場合、圧縮部、非圧縮部は、連続、非連続のいずれであってもよい。
【００５０】
本発明で使用されるギャザーシート２６、ギャザーシート２９は、撥水加工した不織布または織布、ポリエチレン等の液体不透過性フィルム、ならびにその液体不透過性フィルムと不織布または織布を貼り合わせた素材等が使用できる。液体不透過性のフィルムを使用する場合、ムレを防止するために液体分子を透過させない程度の多数の微孔を設けたポリエチレン製フィルムや、熱可塑性樹脂にフィラーを加えて延伸した透湿性のあるフィルムが好ましい。
【００５１】
不織布、織布を使用する場合、その構成繊維は、ＰＰ（ポリプロピレン）、ＰＥ、ポリエステル、ＰＥＴ、ナイロン等の一般的に知られている組成を用いるが、そのうち強度の高いＰＥＴまたはＰＰが好適である。構成は単層または２層、若しくは３層以上の多層のうち、強度が高い２層以上が好適である。種類は、エアスルー、ポイントボンド、レジンボンド、スパンボンド、ＳＭＳ、ＳＭＭＳなどが用いられるが、そのうちより強度の高いスパンボンドが好適である。目付量は、最適なコシが得られる５０〜７０ｇ／ｍ2がより好ましい。
【００５２】
立体ギャザー３０、便収容ギャザー３１に使用される弾性部材２７は、天然、合成ゴム、ウレタンなどの糸状、ひも状、ネット状、平型形状の通常の男性用吸収パッド、通常の吸収性物品に使用されている伸縮弾性体を使用することができる。伸縮弾性体は伸長状態で配置され、ホットメルト、澱粉系またはＣＭＣ（カルボキシメチルセルロース）などの水溶性の糊又は、流動性の高い接着剤、あるいは熱や超音波等による溶着により、撥水性素材に接着固定される。
【図面の簡単な説明】
【００５３】
【図１】この発明の第１の実施の形態の展開型紙おむつの平面図である。
【図２】図１の展開型紙おむつのＡ−Ａ´断面図である。
【図３】図１の展開型紙おむつのＢ−Ｂ´断面図である。
【図４】第１の実施の形態の展開型紙おむつの変形例を示すＡ−Ａ´断面図である。
【図５】この発明の第２の実施の形態の展開型紙おむつのＡ−Ａ´断面図である。
【図６】この発明の第３の実施の形態の展開型紙おむつの平面図である。
【図７】図７の展開型紙おむつのＡ−Ａ´断面図である。
【図８】この発明の第４の実施の形態の展開型紙おむつの平面図である。
【図９】図８の展開型紙おむつのＡ−Ａ´断面図である。
【図１０】図８の展開型紙おむつのＢ−Ｂ´断面図である。
【図１１】第４の実施の形態の展開型紙おむつの変形例を示すＡ−Ａ´断面図である。
【図１２】この発明の第５の実施の形態の展開型紙おむつのＡ−Ａ´断面図である。
【図１３】この発明の第６の実施の形態の展開型紙おむつのＡ−Ａ´断面図である。
【図１４】従来の展開型紙おむつの断面図である。
【符号の説明】
【００５４】
１１，１１ａ，１１ｂ    トップシート
１２    バックシート
１４    第１吸収体
１５    第２吸収体
１５ａ    背側第２吸収体（第２吸収体）
１５ｂ    腹側第２吸収体（第２吸収体）
１６    第３吸収体
１６ａ    背側第３吸収体（第３吸収体）
１６ｂ    腹側第３吸収体（第３吸収体）
２１Ａ，２１Ｂ，２２Ａ，２２Ｂ    サイドフラップ
２３Ａ，２３Ｂ    サイドパネル
２４    止着部
２５    パネル基材
２６，２９    ギャザーシート
２７    弾性部材
３０    脚回り立体ギャザー
３１    便収容ギャザー
３２，３２ａ，３２ｂ    防漏シート
３３    開口上端
３６    背側
３７    股下
３８    腹側
４０    切り欠き
Ｏ    開口
ＰＯ    ポケット
【図１】
2005279004.tif 000003
【図２】
2005279004.tif 000004
【図３】
2005279004.tif 000005
【図４】
2005279004.tif 000006
【図５】
2005279004.tif 000007
【図６】
2005279004.tif 000008
【図７】
2005279004.tif 000009
【図８】
2005279004.tif 000010
【図９】
2005279004.tif 000011
【図１０】
2005279004.tif 000012
【図１１】
2005279004.tif 000013
【図１２】
2005279004.tif 000014
【図１３】
2005279004.tif 000015
【図１４】
2005279004.tif 000016